(57)【要約】【課題】柱上変圧器に電圧調整機能を持たせることで，低圧配電系統の電圧を適正範囲に調整する。【解決手段】高圧配電線路１０と低圧配電線路２０を接続する柱上変圧器１１０と、低圧配電線路に接続された、需要家負荷２２または分散型電源２３で構成される電力系統において、柱上変圧器１１０と、その二次側に直列に一次側を接続される直列変圧器２１１，２１２と、低圧配電線路２０の電圧測定値を入力とする調整電圧制御回路２４０と、調整電圧制御回路２４０の出力に基づいて直列変圧器２１１，２１２の二次側に電圧を発生させる調整電圧発生回路２３０を備える。【選択図】  図１
2005341668.tif 000002
【特許請求の範囲】
【請求項１】
高圧配電系統と低圧配電系統を接続する柱上変圧器と、低圧配電系統に接続された需要家負荷および分散型電源で構成される電力系統の電圧調整装置において、
前記柱上変圧器の二次側に直列に一次側を接続される直列変圧器と、低圧配電系統の電圧測定値を入力とする調整電圧制御回路と、該調整電圧制御回路の出力に基づいて前記直列変圧器の二次側に調整電圧を発生させる調整電圧発生回路と、を設けることを特徴とする電圧調整装置。
【請求項２】
高圧配電系統と低圧配電系統を接続する柱上変圧器と、低圧配電系統に接続された需要家負荷および分散型電源で構成される電力系統の電圧調整装置において、
前記柱上変圧器の二次側に直列に一次側を接続される直列変圧器と、該直列変圧器の二次側端子間に接続されたバイパススイッチと、低圧配電系統の電圧測定値を入力とする調整電圧制御回路と、該調整電圧制御回路の出力に基づいて前記直列変圧器の二次側に調整電圧を発生させる調整電圧発生回路と、低圧配電系統の電圧に応じて前記調整電圧発生回路を起動または停止させるために、前記バイパススイッチを開または閉する保護回路と、を設けることを特徴とする電圧調整装置。
【請求項３】
請求項１または２において、前記調整電圧制御回路は、低圧配電系統の電圧を検出するセンサと、該センサによって検出された電圧測定値から電圧実効値を演算する電圧演算部と、予め目標電圧を設定する目標電圧設定部と、前記電圧実効値と前記目標電圧から前記調整電圧を演算する調整電圧演算部と、で構成されることを特徴とする電圧調整装置。
【請求項４】
柱上変圧器により高圧配電系統と低圧配電系統を接続し、低圧配電系統に需要家負荷および分散型電源を接続する電力系統の電圧調整方法において、
低圧配電系統の線間電圧の計測値から電圧の実効値を求め、該実効値と予め定めた目標電圧との偏差に基づいて調整電圧発生回路を制御し、前記柱上変圧器の二次側に一次側を接続される直列変圧器の一次側電圧が前記偏差相当となるように前記調整電圧発生回路の出力を前記直列変圧器の二次側に供給することを特徴とする電圧調整方法。
【請求項５】
柱上変圧器により高圧配電系統と低圧配電系統を接続し、低圧配電系統に需要家負荷および分散型電源を接続する電力系統の電圧調整方法において、
低圧配電系統の線間電圧の計測値から電圧の実効値を求め、該実効値と予め定めた目標電圧との偏差に基づいて調整電圧発生回路を制御し、前記柱上変圧器の二次側に一次側を接続される直列変圧器の一次側電圧が前記偏差相当となるように前記調整電圧発生回路の出力を前記直列変圧器の二次側に供給し、かつ低圧配電系統の電圧に応じて前記調整電圧発生回路と前記直列変圧器間のバイパススイッチを開または閉することを特徴とする電圧調整方法。
【請求項６】
請求項４または５において、前記目標電圧は低圧系統に接続される負荷契約容量と分散型電源契約容量に基づいて設定することを特徴とする電圧調整方法。
【請求項７】
請求項４または５において、前記目標電圧は（１）式により設定することを特徴とする電圧調整方法。
目標電圧＝負荷契約容量／(負荷契約容量＋分散型電源契約容量)×12＋95    …（１）
【請求項８】
請求項５において、前記低圧配電系統の電圧が最低電圧整定値を超える時間がタイマ整定値より長くなった場合に，前記調整電圧発生回路を起動するか前記バイパススイッチを開放することを特徴とする電圧調整方法。
【請求項９】
請求項５において、前記低圧配電系統の電圧が不感帯最小電圧整定値より大きく、かつ不感帯最大電圧整定値より小さい場合で、その継続時間がタイマ整定値より長くなった場合に、前記バイパススイッチを短絡することを特徴とする電圧調整方法。
【請求項１０】
高圧配電系統と低圧配電系統を接続する柱上変圧器と、低圧配電系統に接続された需要家負荷または分散型電源で構成される電力系統であって、
前記柱上変圧器は請求項１〜３の何れかに記載の電圧調整装置を含んで構成することを特徴とする電力系統。
【発明の詳細な説明】
【技術分野】
【０００１】
本発明は、配電系統の電圧を規定範囲に調整する電圧調整装置および電圧調整方法に関する。
【背景技術】
【０００２】
単相配電系統の負荷端に設置される自動電圧調整装置を小型、低価格化する目的で、直列変圧器、インバータ、コンバータを用いて構成した電圧調整装置をその出力容量を負荷の定格容量の10〜20％程度にする技術が特許文献１に開示されている。
【０００３】
また、配電線路の途中に設置して電圧の位相を調整する三相電圧位相調整装置を、三相タップ切替位相調整器と直列変圧器及び三相静止形電圧調整器の組合せで構成し、タップ幅の制約を受けず、電圧の大きさ及び位相の調整を行う技術が特許文献２に開示されている。
【０００４】
【特許文献１】特開２００１−５５４１号公報
【０００５】
【特許文献２】特開２０００−２３２７３５号公報
【発明の開示】
【発明が解決しようとする課題】
【０００６】
しかし、上記従来技術には電圧調整方法、特に分散型電源が配電系統に連系された場合に、配電（低圧）系統の電圧を適正範囲に調整する手法が明確にされていない。特に、太陽光発電が導入された低圧配電系統の全域に渡って適正電圧を維持可能とする低圧配電系統が実現されていない。
【０００７】
本発明の目的は、従来技術の現状に鑑み、全域に渡って適正電圧を維持可能とする低圧配電系統とその電圧調整方法及び装置を提供することにある。
【課題を解決するための手段】
【０００８】
上記目的を達成する本発明は、高圧配電系統と低圧配電系統を接続する柱上変圧器と、低圧配電系統に接続された需要家負荷および分散型電源で構成される電力系統の電圧調整装置において、前記柱上変圧器の二次側に直列に一次側を接続される直列変圧器と、低圧配電系統の電圧測定値を入力とする調整電圧制御回路と、該調整電圧制御回路の出力に基づいて前記直列変圧器の二次側に調整電圧を発生させる調整電圧発生回路と、を設けることを特徴とする。
【０００９】
また、前記柱上変圧器の二次側に直列に一次側を接続される直列変圧器と、該直列変圧器の二次側端子間に接続されたバイパススイッチと、低圧配電系統の電圧測定値を入力とする調整電圧制御回路と、該調整電圧制御回路の出力に基づいて前記直列変圧器の二次側に調整電圧を発生させる調整電圧発生回路と、低圧配電系統の電圧に応じて前記調整電圧発生回路を起動または停止させるために、前記バイパススイッチを開または閉する保護回路と、を設けることを特徴とする。
【００１０】
前記調整電圧制御回路は、低圧配電系統の電圧を検出するセンサと、該センサによって検出された電圧測定値から電圧実効値を演算する電圧演算部と、予め目標電圧を設定する目標電圧設定部と、前記電圧実効値と前記目標電圧から前記調整電圧を演算する調整電圧演算部と、で構成されることを特徴とする。
【００１１】
また、本発明は高圧配電系統と低圧配電系統を接続する柱上変圧器と、低圧配電系統に接続された需要家負荷または分散型電源で構成される電力系統であって、前記柱上変圧器は上記電圧調整装置を含んで構成することを特徴とする。
【００１２】
また、本発明の電圧調整方法は、柱上変圧器により高圧配電系統と低圧配電系統を接続し、低圧配電系統に需要家負荷および分散型電源を接続する電力系統の電圧調整方法であって、低圧配電系統の線間電圧の計測値から電圧の実効値を求め、該実効値と予め定めた目標電圧との偏差に基づいて調整電圧発生回路を制御し、前記柱上変圧器の二次側に一次側を接続される直列変圧器の一次側電圧が前記偏差相当となるように前記調整電圧発生回路の出力を前記直列変圧器の二次側に供給することを特徴とする。
【００１３】
また、低圧配電系統の線間電圧の計測値から電圧の実効値を求め、該実効値と予め定めた目標電圧との偏差に基づいて調整電圧発生回路を制御し、前記柱上変圧器の二次側に一次側を接続される直列変圧器の一次側電圧が前記偏差相当となるように前記調整電圧発生回路の出力を前記直列変圧器の二次側に供給し、かつ低圧配電系統の電圧に応じて前記調整電圧発生回路と前記直列変圧器間のバイパススイッチを開または閉することを特徴とする。
【００１４】
また、前記目標電圧は101Vに設定する。あるいは、目標電圧を低圧系統に接続される負荷契約容量と分散型電源契約容量に基づいて設定する。あるいは、目標電圧を（１）式により設定する。
目標電圧＝負荷契約容量／(負荷契約容量＋分散型電源契約容量)×12＋95      …（１）
また、前記低圧配電系統の電圧が最低電圧整定値を超える時間がタイマ整定値より長くなった場合に，前記調整電圧発生回路（電力変換器）を起動するか前記バイパススイッチを開放することを特徴とする。
【００１５】
また、前記低圧配電系統の電圧が不感帯最小電圧整定値より大きく、かつ不感帯最大電圧整定値より小さい場合で、その継続時間がタイマ整定値より長くなった場合に、前記バイパススイッチを短絡することを特徴とする。
【発明の効果】
【００１６】
本発明の電圧調整装置および電圧調整方法によれば、低圧配電系統の系統電圧を適正範囲に維持できる。これに伴い、従来、適正電圧維持のために実施してきた変圧器大容量化、低圧線太線化、系統分割などの対策が不要となる。また、低圧系統における太陽光発電などの分散型電源の発電効率を改善できる。また、負荷変化とインバータ制御の相互干渉によるフリッカの発生を抑制できる。
【００１７】
また、本発明の電圧調整装置および電圧調整方法によれば、系統状態が不安定な状態で電圧調整装置が再起動することを防ぐので、系統に擾乱を与えることなく安定に再起動できる利点がある。
【００１８】
また、本発明の電圧調整装置および電圧調整方法によれば、電圧制御が不要な場合に休止状態となるので、柱上変圧器の電圧調整部で発生する損失を低減し、電圧調整装置の寿命を延ばすことができる利点がある。
【発明を実施するための最良の形態】
【００１９】
図１は、本発明の一実施例を示す電圧調整装置の構成図である。線間定格電圧６ｋVの高圧配電系統の配電線の２相である線路１０ｕ，１０ｖに柱上変圧器１１０の一次側が接続され，柱上変圧器１１０の二次側は±１０５V定格の低圧配電線路２０ａ，２０ｂおよび中性線２０ｎに接続されている。電圧調整装置１００は柱上変圧器１１０及び電圧調整回路１２０によって構成される。
【００２０】
電圧調整回路１２０は以下に示すように、直列変圧器２１１，２１２、バイパススイッチ２２０、調整電圧発生回路２３０、電圧センサ２１３、調整電圧制御回路２４０、保護装置２１４及びそれらを結合する回路および情報伝達手段によって構成される。直列変圧器２１１，２１２は各々の一次側を低圧配電線路２０ａ，２０ｂにそれぞれ直列に挿入される。
【００２１】
直列変圧器２１１，２１２の二次側は調整電圧発生回路２３０のインバータ２３１の交流端子に接続される。インバータ２３１と直列変圧器２１１，２１２二次側の間にはバイパススイッチ２２０が設けられ、保護装置２１４からの開閉指令に基づいて線間を短絡・開放する。調整電圧発生回路２３０はインバータ２３１、コンバータ２３２、直流コンデンサ２３３、変換器制御装置２３４で構成される。
【００２２】
コンバータ２３２の交流側端子は低圧配電線路２０ａ，２０ｂに接続され、直流端子は直流コンデンサ２３３に接続される。インバータ２３１の直流端子も直列コンデンサ２３３に接続される。インバータ２３１、コンバータ２３２の制御指令は変換器制御装置２３４によって与えられる。調整電圧制御回路２４０は電圧演算部２４１、調整電圧演算部２４２、目標電圧設定部２４３で構成される。
【００２３】
なお、図１ではコンバータ２３２の交流側端子は直列変圧器２１１，２１２より高圧系統側（柱上変圧器１１０と直列変圧器２１１，２１２の間）で低圧配電線路２０ａ，２０ｂと接続しているが、直列変圧器２１１，２１２より低圧系統側で低圧配電線路２０ａ，２０ｂと接続しても良い。
【００２４】
次に、電圧調整装置１００による電圧調整の概要を説明する。低圧系統のａｎ間およびｂｎ間の線間電圧は電圧センサ２１３で計測され、測定された信号は調整電圧制御回路２４０の電圧演算部２４１に送られ、電圧実効値Veおよび電圧位相θに変換される。Veは調整電圧演算部２４２と保護装置２１４に、θは変換器制御装置２３４に送られる。目標電圧設定部２４３には予め目標電圧Vrefが整定されており、このVrefは調整電圧演算部２４２に送られる。調整電圧演算部２４２では、電圧調整装置１００で調整すべき電圧偏差ΔVを計算する。すなわち、目標電圧Vrefと低圧系統の電圧Veとの偏差を計算し、調整電圧演算部２４２の出力とする。ΔV信号は変換器制御装置２３４に送られ、変換器制御装置２３４は直列変圧器２１１，２１２の一次側電圧がΔV相当の電圧となるように、インバータ２３１およびコンバータ２３２を制御する。
【００２５】
すなわち、直列変圧器２１１，２１２の変圧比が一次：二次が１：ｍであれば、インバータ２３１の出力電圧がΔV×ｍとなるようにインバータ２３１およびコンバータ２３２に制御指令を与える。このとき、ａ相に加えられるΔVaはａｎ間の電圧V'anの位相θaと同位相となるように制御される。また、ｂ相に加えられるΔVbはΔVaと１８０゜位相が反転した電圧となる。このようにして、直列変圧器２１１，２１２の一次側にはΔVa，ΔVbの電圧が発生される。
【００２６】
低圧配電系統が平衡である場合、柱上変圧器１１０の二次側の電圧Va，Vbに、直列変圧器２１１，２１２の一次側電圧ΔVa，ΔVbが加えられることで，低圧系統の電圧V'an，V'bnは目標電圧Vrefとなるように制御される。
【００２７】
また、電圧調整回路１２０において、直列変圧器２１１、２１２、バイパススイッチ２２０、調整電圧発生回路２３０のインバータ２３１を、ａｎ間，ｂｎ間で独立して構成した場合でも、低圧系統の電圧V'an，V'bnを目標電圧Vrefとなるように制御することできる。さらに、調整電圧制御回路２４０および調整電圧発生回路２３０の変換器制御装置２３４において、電圧調整装置１００で調整すべき電圧偏差ΔVを、ａｎ間，ｂｎ間で独立して計算、出力するよう構成する。これにより、低圧系統が不平衡である場合でも、低圧系統の電圧V'an，V'bnを目標電圧Vrefとなるように制御することができる。
【００２８】
保護装置２１４では、電圧演算部２４１で計算された電圧Veを元に、バイパススイッチ２２０の開閉指令および変換器制御装置２３４への開閉器起動停止指令を与える。保護装置２１４の処理アルゴリズムについては後述する。
【００２９】
変換器制御装置２３４の応答速度は、低圧系統に連系される他のインバータ装置との相互干渉や、電圧フリッカの発生を押さえるために一定値以下に制限する必要がある。例えば、フリッカは人間の視感度係数がもっとも大きくなる10Hz付近の電圧振動で発生し易くなるため、これよりも十分遅い１秒程度以上の応答速度としておくことが目安となる。
【００３０】
次に，本発明の電圧調整装置１００を適用した配電系統の構成について、図２に示す単線結線図を用いて説明する。配電変電所１１に接続される高圧配電線路１０に、電圧調整装置１００の一次側（高圧側）が接続され、その二次側（低圧側）に低圧配電線路２０が接続される。低圧配電線路２０には需要家への引込線２１が接続され、引込線２１の末端に需要家負荷２２および太陽光発電設備２３が接続されている。
【００３１】
電気事業法による規定により、需要家への引込線末端の電圧は１０１±６Ｖ内に保つ必要がある。今、太陽光発電２３が接続されない配電系統の場合を考えると、高圧配電線１０を介して受電している需要家のもっとも高い電圧を１０７Ｖ以下とし、もっとも低い電圧は９５Ｖ以上とすればよい。配電線に負荷がつながる場合、負荷電流によって各線路や変圧器のインピーダンスに応じて電圧低下が生じる。この場合、例えば図３に示すような電圧降下量の配分（１００Ｖ換算値）よりも小さい電圧低下に収まるような配電系統の構成とすれば、需要家端の電圧は前述の１０１±６Ｖに収まることになる。
【００３２】
このようにして設計された配電系統に太陽光発電２３のような分散型電源が接続された場合の電圧分布への影響について説明する。図４は配電系統の各構成要素（図２）の電圧分布の例を示したグラフである。横軸は配電系統の代表的な場所を、縦軸は１００Ｖ定格換算の電圧値を示す。
【００３３】
グラフ４１０は分散型電源がない場合に、図３の電圧降下配分によって、もっとも電圧低下が大きい場合の電圧分布を示す。すなわち、配電変電所直近の定圧系統で１０７Ｖとなる電圧を配電変電所１１の送り出し電圧とした場合、高圧系統で４Ｖ相当の電圧低下が生じて柱上変圧器高圧側では１０３Ｖ、柱上変圧器で２Ｖ相当の電圧低下が生じて低圧側では１０１Ｖ、同様に低圧線で３Ｖ、引込線で３Ｖの電圧低下が生じる。結局、需要家端ではせいぜい９５Ｖに電圧が維持されるように、配電系統を構成することができる。
【００３４】
ところが、太陽光発電２３のような分散型電源が接続された場合で負荷が小さい場合、分散型電源からの逆潮流によって配電線路の電流の向きが末端の需要家側から配電変電所側に流れ、そのために配電系統の末端の電圧が上昇する場合が生じる。例えば、グラフ４１１の電圧分布は、需要家負荷容量と同容量の太陽光発電が定格出力しており、需要家負荷は０の例を示している。この場合、引込線の需要家端付近で電圧が１０７Ｖを超えてしまう。
【００３５】
このような状況で、電圧調整装置１００によって低圧線送り出し点の電圧を１０１Ｖに制御した場合の電圧分布はグラフ４１２のようになる。低圧線、引込線合計の電圧上昇量は、一般的な発電設備容量が需要家負荷容量を超えない場合はせいぜい６Ｖであるため、各需要家の分散型電源有無、負荷量の大小に関わらず末端を１０１±６Ｖ以内となるように配電系統を構成することが可能となる。
【００３６】
次に、低圧系統１２に接続される負荷２２の契約容量と分散型電源２３の契約容量が既知の場合の電圧制御方法を説明する。図５は分散型電源の契約容量が負荷の契約容量の１／３である低圧系統の電圧制御時の電圧分布例を示している。ここで、低圧系統１２に接続される負荷２２の契約容量は，負荷電流最大時に低圧線２０と引込線２１の電圧降下が最大で６V発生するような容量としている。
【００３７】
この場合、負荷電流が０で分散型電源の出力が最大の場合、分散型電源２３から柱上変圧器側に流れる電流によって、低圧線２０と引込線２１で発生する電圧上昇量は、負荷電流最大時の電圧降下量の１／３の大きさとなる。すなわち、６Ｖの１／３である２Ｖほどの電圧上昇が発生する。従って、この低圧系統では、低圧線２０、引込線２１合計の電圧低下は最大６Ｖ、電圧上昇は最大２Ｖであることがわかる。この場合、電圧規定値の９５Ｖ，１０７Ｖまでの余裕が、上下とも同様の割合で持たせておくことが望ましい。
【００３８】
そこで、電圧調整装置１００の制御電圧目標値Vrefは（１）式で求めればよい。
Vref＝WL／(WL＋WG)×１２＋９５        …（１）
ここで、WLは負荷の契約容量、WGは分散型電源の契約容量を表す。（１）式は、低圧系統の送り出し点（電圧調整装置１００の低圧側）の電圧を、負荷２２および分散型電源２３の割合に応じて、１０１Ｖからずらすことを意味している。
【００３９】
例えば、図５の例では、WGはWLの１／３であるから、Vrefは（２）式のように求められ、電圧調整装置１００の低圧側端を１０４Vに設定すればよいことがわかる。
Vref＝WL／（WL＋（１／３）WL）×１２＋９５＝１０４（V）        …（２）
次に、保護装置２１４の処理について説明する。図６は、系統故障や停電が復旧した場合の再起動アルゴリズムの処理フローを示している。ここで、Vは配電系統の電圧、Vlowは再起動の目安となる最低電圧整定値、τは時間カウンタ、τminはタイマ整定値を示す。
【００４０】
S1で時間カウンタτを０にリセットする。S2で系統電圧VがVlow以上であるかを監視し、その結果Vlow未満であれば監視を継続するために、処理の最初に戻る。Vlow以上であれば、S3で時間カウンタを増加させる。S4の判定処理で、時間カウンタτが一定値τmin未満であれば、判定処理S2に戻り電圧の大きさを再度判定する。時間カウンタτが一定値τmin以上であれば、S5でバイパススイッチ２２０をOFFにする指令を出し、S6でインバータ起動指令を変換器制御装置２３４に与える。
【００４１】
これにより、電圧調整装置１００を再起動する。この様な処理フローを設けることで、系統故障時や停電時に電圧調整装置１００が一旦停止した場合に、系統復帰後に必要以上に早く再起動せずに、十分系統状態が安定となった後（負荷や太陽光発電が再起動した後）に、電圧調整装置１００が再起動することとなる。すなわち、系統復帰を検出し、系統状態が安定となったことを確認して、再起動することになる。
【００４２】
図７は、電圧調整装置の損失低減アルゴリズムの処理フローを示している。ここで、Vは配電系統の電圧、Vminは運転停止の目安となる不感帯最小電圧整定値、Vmaxは運転停止の目安となる不感帯最大電圧整定値、τは時間カウンタ、τminはタイマ整定値を示す。
【００４３】
S11で時間カウンタτを０にリセットする。S12で系統電圧VがVmin以上かつVmax以下の不感帯範囲であるかを監視し、その結果不感帯外であれば監視を継続するために、処理の最初に戻る。不感帯内であれば、S13で時間カウンタを増加させる。S14の判定処理で時間カウンタτが一定値τmin未満であれば、判定処理S12に戻り電圧の大きさを再度判定する。時間カウンタτが一定値τmin以上であれば、S15でインバータ停止指令を変換器制御装置２３４に与え、S１6でバイパススイッチ２２０をONにする指令を出す。
【００４４】
これにより、電圧調整装置１００を停止する。このような処理フローを電圧調整装置１００に設けることで，電圧調整装置の変換器部で発生する損失を低減し、また電圧調整装置の寿命を延ばすことができる効果がある。
【００４５】
本実施例の電圧調整装置によれば、配電系統に分散型電源が新たに設置された場合でも、配電線路や系統構成を変えることなく配電系統の電圧を規定範囲に保つことができる。また、このような電圧調整機能を持つ柱上変圧器として適用できる。さらに、電圧変動の大きい配電系統に設置し、電圧変動量を低減することで、設備効率のよい配電系統を構成することができる。
【図面の簡単な説明】
【００４６】
【図１】本発明の一実施例による電圧調整装置の構成図。
【図２】電圧調整装置を適用した配電系統の構成図。
【図３】配電系統の電圧降下量の配分を示した説明図。
【図４】配電系統の各構成要素の電圧分布の例を示したグラフ。
【図５】電圧調整装置による電圧制御の結果例を示したグラフ。
【図６】電圧調整装置の再起動アルゴリズムの処理フロー図。
【図７】電圧調整装置の損失低減アルゴリズムの処理フロー図。
【符号の説明】
【００４７】
１０…高圧配電線路、１１…配電変電所、１２…配電系統、２０…低圧配電線路、２１…引込線、２２…需要家、２３…太陽光発電などの分散型電源、１００…電圧調整装置、１１０…柱上変圧器、１２０…電圧調整回路、２１１，２１２…直列変圧器、２１３…電圧センサ、２１４…保護装置、２２０…バイパススイッチ、２３０ｖ調整電圧発生回路、２３１…インバータ、２３２…コンバータ、２３３…直流コンデンサ、２３４…変換器制御装置、２４０…調整電圧制御回路、２４１…電圧演算部、２４２…調整電圧演算部、２４３…目標電圧設定部。
【図１】
2005341668.tif 000003
【図２】
2005341668.tif 000004
【図３】
2005341668.tif 000005
【図４】
2005341668.tif 000006
【図５】
2005341668.tif 000007
【図６】
2005341668.tif 000008
【図７】
2005341668.tif 000009